(57)【要約】【課題】特定のプリント基板について仕様の共通化を図り、当該特定のプリント基板と他のプリント基板とを接続して一つの基板接続体を簡易に構成することができる数値制御装置を提供する。【解決手段】共通プリント基板２１が仕様の異なる数値制御装置に対して共通に適用され、共通プリント基板２１は、平面的に並置された状態でコネクタ３０を介して第１プリント基板２２又は第２プリント基板２５と接続されて、第１の基板接続体２０又は第２の基板接続体２０ｂを構成でき、第１の基板接続体２０及び第２の基板接続体２０ｂは、それぞれ、既定の第１の外形の条件を満たす第１の接続形態及び既定の第２の外形の条件を満たす第２の接続形態を形成する。共通プリント基板２１における第１コネクタ半体３１は、共通プリント基板２１に関する第１の接続形態及び第２の接続形態の何れの形態においても、共通プリント基板２１における同一位置に位置している。【選択図】図１
2018077659.tif 000002
【特許請求の範囲】
【請求項１】
特定の共通プリント基板を備え、前記共通プリント基板が仕様の異なる数値制御装置に対して共通に適用され得る数値制御装置であって、
前記共通プリント基板は、
所定の第１プリント基板と平面的に並置された状態でコネクタを介して接続されて第１の基板接続体を構成した場合に、前記第１の基板接続体が既定の第１の外形の条件を満たす第１の接続形態を形成し、且つ、
前記第１プリント基板とは異なる形態の所定の第２プリント基板と平面的に並置された状態でコネクタを介して接続されて第２の基板接続体を構成した場合に、当該第２の基板接続体が既定の第２の外形の条件を満たす第２の接続形態を形成するような、
自己の外形を有し、
前記コネクタは、前記共通プリント基板側の第１コネクタ半体と、該第１コネクタ半体に適合する第２コネクタ半体を含んで構成されるものであり、
前記第１コネクタ半体は、前記共通プリント基板に関する前記第１の接続形態及び前記第２の接続形態の何れの形態においても、前記共通プリント基板における同一位置に位置している
数値制御装置。
【請求項２】
前記共通プリント基板は、数値制御用ＣＰＵ及びサーボモータ駆動回路を有するメインボードである、
請求項１に記載の数値制御装置。
【請求項３】
前記第１プリント基板は、表示部と前記表示部を制御する制御部とが一体化された一体型の数値制御装置における、外部回路に接続されるインターフェース用コネクタを有するコネクタボードである、
請求項１又は２に記載の数値制御装置。
【請求項４】
前記第２プリント基板は、表示部と前記表示部を制御する制御部とが分離された分離型の数値制御装置における前記制御部の一部を構成する、外部回路に接続されるインターフェース用コネクタを有するコネクタボードである、
請求項１に記載の数値制御装置。
【請求項５】
前記共通プリント基板及び前記第２プリント基板は略矩形であり、
前記共通プリント基板は、その長辺の長さが、前記第２プリント基板の短辺の長さに略等しい、
請求項４に記載の数値制御装置。
【請求項６】
前記共通プリント基板は矩形であり、
前記第１プリント基板が略Ｌ字形の場合に、前記第１の接続形態において、前記共通プリント基板と前記第１プリント基板とは、これらで略矩形を形成するように接続される、
請求項３に記載の数値制御装置。
【発明の詳細な説明】
【技術分野】
【０００１】
本発明は、数値制御装置に関し、詳細には、プリント基板を有する数値制御装置に関する。
【背景技術】
【０００２】
機器を制御する制御基板は、その仕様に応じてそれぞれ専用の基板が用意されるのが一般的である。これに対して、専用の基板を用意することを回避するために、複数種類の標準的な分割基板を用意しておき、それらを要求仕様に応じた組み合わせで分割基板間にスペーサを挟んで既定形状の筐体内に固定し、上記専用の基板同様の仕様を充足できるようにする技術が提案されている（例えば、特許文献１参照）。
特許文献１には、複数の制御対象機器に共通の共通基板と、制御対象機器毎の仕様に応じた個別基板とを、同一平面上に配置する構造が開示されている。
【０００３】
一方、一の標準化された寸法の基板と他の標準化された寸法の基板とが一平面内でコネクタにより接続されると、その基板接続体が、更に他の標準化された基板の寸法に合致するように設計する手法が提案されている（例えば、特許文献２参照）。
特許文献２には、メインボードである第１の基板に付加的なスロットが必要な場合、スロットを有する第２の基板を拡張基板として追加可能である旨開示されている。
【先行技術文献】
【特許文献】
【０００４】
【特許文献１】特開平９−２４６７５４号公報
【特許文献２】特開２００２−３１４２１５号公報
【発明の概要】
【発明が解決しようとする課題】
【０００５】
ところで、数値制御装置のような装置ではマンマシンインタフェース部を構成する表示装置の部分についても、機種に応じて種々の態様を採る。一つの大別方法として、表示部と制御部とが一体化された一体型と称されるタイプのものと、表示部と制御部とが分離された分離型と称されるタイプのものとがある。これらは何れのタイプを採るかによって、プリント基板の形態は異なる。
【０００６】
詳細には、上記何れのタイプを採るかに応じて、個々のプリント基板の仕様や複数のプリント基板の組合わせ方は異なる。このような場合、少なくとも特定のプリント基板について仕様の共通化を図ることができれば、数値制御装置の品質を向上し、コストを低減することが出来る。
【０００７】
しかしながら、形状（寸法を含む）、コネクタの形態及び配置の何れにおいても、少なくとも特定のプリント基板について仕様の共通化を図り、且つ、当該特定のプリント基板と他のプリント基板とを接続して一つの基板接続体を簡易に構成することは、上述の両特許文献の技術をそのまま適用しても具体的な解決策が導かれるわけではない。
【０００８】
本発明は、上記のような状況に鑑みてなされたものであり、少なくとも特定のプリント基板について仕様の共通化を図り、且つ、当該特定のプリント基板と他のプリント基板とを接続して一つの基板接続体を簡易に構成することができる数値制御装置を提供することを目的とする。
【課題を解決するための手段】
【０００９】
本発明の数値制御装置は、特定の共通プリント基板（例えば、後述する共通プリント基板２１）を備え、前記共通プリント基板が仕様の異なる数値制御装置に対して共通に適用され得る数値制御装置であって、前記共通プリント基板は、所定の第１プリント基板（例えば、後述する第１プリント基板２２）と平面的に並置された状態でコネクタ（例えば、後述するコネクタ３０）を介して接続されて第１の基板接続体（例えば、後述する第１の基板接続体２０）を構成した場合に、前記第１の基板接続体が既定の第１の外形の条件を満たす第１の接続形態を形成し、且つ、前記第１プリント基板とは異なる形態の所定の第２プリント基板（例えば、後述する第２プリント基板２５）と平面的に並置された状態でコネクタ（例えば、後述するコネクタ３０）を介して接続されて第２の基板接続体（例えば、後述する第２の基板接続体２０ｂ）を構成した場合に、当該第２の基板接続体が既定の第２の外形の条件を満たす第２の接続形態を形成するような、自己の外形を有し、前記コネクタは、前記共通プリント基板側の第１コネクタ半体（例えば、後述する第１コネクタ半体３１）と、該第１コネクタ半体に適合する第２コネクタ半体（例えば、後述する第２コネクタ半体３２）を含んで構成されるものであり、前記第１コネクタ半体は、前記共通プリント基板に関する前記第１の接続形態及び前記第２の接続形態の何れの形態においても、前記共通プリント基板における同一位置に位置している。
【００１０】
本発明の数値制御装置は、その一態様において、前記共通プリント基板は、数値制御用ＣＰＵ及びサーボモータ駆動回路を有するメインボードである。
【００１１】
本発明の数値制御装置は、その一態様において、前記第１プリント基板は、表示部と前記表示部を制御する制御部とが一体化された一体型の数値制御装置における、外部回路に接続されるインターフェース用コネクタを有するコネクタボードである。
【００１２】
本発明の数値制御装置は、その一態様において、前記第２プリント基板は、表示部と前記表示部を制御する制御部とが分離された分離型の数値制御装置における前記制御部の一部を構成する、外部回路に接続されるインターフェース用コネクタを有するコネクタボードである。
【００１３】
本発明の数値制御装置は、その一態様において、前記共通プリント基板及び前記第２プリント基板は略矩形であり、前記共通プリント基板は、その長辺の長さが、前記第２プリント基板の短辺の長さに略等しい。
【００１４】
本発明の数値制御装置は、その一態様において、前記共通プリント基板は矩形であり、前記第１プリント基板が略Ｌ字形の場合に、前記第１の接続形態において、前記共通プリント基板と前記第１プリント基板とは、これらで略矩形を形成するように接続される、
請求項３に記載の数値制御装置。
【発明の効果】
【００１５】
本発明によれば、少なくとも特定のプリント基板について仕様の共通化を図り、且つ、当該特定のプリント基板と他のプリント基板とを接続して一つの基板接続体を簡易に構成することができる数値制御装置を実現することができる。
【図面の簡単な説明】
【００１６】
【図１】本発明の一実施形態としての数値制御装置における第１の基板接続体の一態様を示す概略構成図である。
【図２】図１の数値制御装置における第１の基板接続体と表示器側基板との間の一つの接続態様を示す側面図である。
【図３】本発明の一実施形態としての数値制御装置における第１の基板接続体の別態様を示す概略構成図である。
【図４】図３の数値制御装置における第１の基板接続体と表示器側基板との間の一つの接続態様を示す側面図である。
【図５】本発明の他の実施形態としての数値制御装置における第２の基板接続体を示す概略構成図である。
【図６】図５の数値制御装置における第２の基板接続体の側面図である。
【発明を実施するための形態】
【００１７】
図１及び図２を参照して、本発明の一実施形態としての数値制御装置における第１の基板接続体の一態様について説明する。
図１は、本発明の一実施形態としての数値制御装置における第１の基板接続体の一態様を示す概略構成図であり、特に、数値制御装置における表示装置１を背面側から見た図である。図２は、図１の数値制御装置における第１の基板接続体と表示器側基板との間の一つの接続態様を示す側面図である。尚、図２では接続態様を示すことを主眼としているため、基板上の実装部品については図示を省略している。
【００１８】
一実施形態としての数値制御装置は、表示器１０及び第１の基板接続体２０を有する表示装置１を備える。第１の基板接続体２０は、共通プリント基板２１と第１プリント基板２２との２枚のプリント基板の接続体である。第１の基板接続体２０は、表示器１０の表示面と反対側の背面側に配置される。
表示器１０も、外部からの信号に基づいてＬＣＤ等の表示素子を駆動する表示器基板１１を背面側に有している。
【００１９】
共通プリント基板２１と第１プリント基板２２とは、平面的に並置された状態で、コネクタ３０で接続されて第１の基板接続体２０を構成している。本明細書において、「平面的に並置される」とは、図１及び図２に示すような表示器１０に対する背面視で重ならない態様に制限されず、部分的に若干の重なりはあるが、大部分は重ならない態様を含む意味である。
【００２０】
本例における共通プリント基板２１は、制御対象であるサーボ機構の制御を行うための回路基板であるサーボカード４１及びＣＰＵカード４２が搭載された所謂メインボードであり、異なる仕様の数値制御装置に共通に適用される特定のプリント基板である。
第１プリント基板２２は、上述の共通プリント基板２１とコネクタ３０で接続されて第１の基板接続体２０を構成する構成要素としての所定のプリント基板である。第１プリント基板２２には、ＳＤカードスロット、ＵＳＢインタフェース、等が実装される他、ソフトキー、タッチパネルに係る機能部等が集約的に設けられている。
【００２１】
図１の例における第１プリント基板２２は、外部回路に接続されるインターフェース用コネクタ２３０を有する。第１プリント基板２２は、グラフィックコントロール機能部を搭載した第１形態のコネクタボードであり、且つ、所謂グラフィックボードである。第１プリント基板２２は電源部７１を有する。
【００２２】
コネクタ３０は、共通プリント基板２１側の第１コネクタ半体３１と、第１コネクタ半体３１に適合する第２コネクタ半体３２とを含んで構成される。後述するように、第１コネクタ半体３１は、共通プリント基板２１に対して第１プリント基板２２とは異なる形態の第２プリント基板２５が接続されて、第１の基板接続体２０とは異なる既定の第２の基板接続体２０ｂが構成される場合においても、共通プリント基板２１における同一位置に位置するように配置されている。
【００２３】
図１におけるように、第１プリント基板２２は、平面形状において、略Ｌ字形をなしている。略Ｌ字形の第１プリント基板２２は、矩形形状の一つの角部に切欠き状部ＮＰが形成された形態を有する。切欠き状部ＮＰは、共通プリント基板２１よりも若干大きい寸法で、長辺部２２１及び短辺部２２２を有する矩形となっている。
図示のように、共通プリント基板２１は、上述のコネクタ３０における第１コネクタ半体３１と第２コネクタ半体３２とが結合して電気的接触が確立する状態で、この切欠き状部ＮＰに若干の間隙を有して収まるように配置される。
【００２４】
共通プリント基板２１は、図示のように、切欠き状部ＮＰに配置された状態で、第１プリント基板２２の切欠き状部ＮＰにおける長辺部２２１に対向する自己の一方の長辺２１１と、これに対応する自己の他方の長辺２１２とを有する。また、共通プリント基板２１は、切欠き状部ＮＰにおける短辺部２２２に対向する自己の一方の短辺２１３と、これに対応する自己の他方の短辺２１４とを有する。
【００２５】
即ち、共通プリント基板２１は矩形であり、第１プリント基板２２は略Ｌ字形である。また、共通プリント基板２１及び第１プリント基板２２が接続されて第１の基板接続体２０が形成される第１の接続形態において、第１の基板接続体２０における共通プリント基板２１と第１プリント基板２２とは、これらで略矩形を形成する。第１の基板接続体２０の外形寸法は、８．４インチサイズの表示器１０の裏面側に配置するのに適合する。
【００２６】
図２に示されるように、第１プリント基板２２と既述の表示器基板１１とは、コネクタ６０で接続される。コネクタ６０は、第１プリント基板２２の表示器基板１１への対向面に設けられたプリント基板側コネクタ半体６１と、表示器基板１１の第１プリント基板２２への対向面に設けられた表示器側コネクタ半体６２とによって構成される。
第１の基板接続体２０と表示器１０（表示器基板１１）とは、コネクタ６０を通して信号の授受や電源の供給を行い、これにより、表示器１０では、仕様に相応した種々の表示が行われる。
尚、第１の基板接続体２０に配されたデバイスから発生する熱を冷却するための第１冷却ファン５１及び第２冷却ファン５２が、適宜の支持部材によって設けられる。
【００２７】
次に、図３及び図４を参照して、本発明の一実施形態の変形例としての数値制御装置について説明する
図３は、本発明の一実施形態の数値制御装置における第１の基板接続体の別態様を示す概略構成図である。図４は、図３の数値制御装置における一つの基板接続体と表示器側基板との間の一つの接続態様を示す側面図である。
図３及び図４において、既述の図１及び図２との対応部は同一の符号を付して示し、それら各部の説明は適宜省略する。図３では接続態様を示すことを主眼としているため、基板上の実装部品については図示を省略している。
【００２８】
尚、図３及び図４の実施形態において、共通プリント基板２１と接続されるプリント基板は、図１及び図２の実施形態における第１プリント基板２２とは若干異なるが、これに準ずるものである。このため、図３及び図４を参照して説明する実施形態においては、このプリント基板を「第１プリント基板２２ａ」と称する。同様に、共通プリント基板２１と第１プリント基板２２ａとが接続されて構成される基板接続体も、既述の第１の基板接続体２０とは若干異なるが、「第１の基板接続体２０ａ」と称する。
【００２９】
共通プリント基板２１と第１プリント基板２２ａとは、平面的に並置された状態で、コネクタ３０で接続されて、第１の基板接続体２０ａを構成している。第１の基板接続体２０ａは、表示装置１のＬＣＤ等を有する表示器１０の表示面と反対側の背面側に、配置される。表示器１０も、外部からの信号に基づいてＬＣＤ等の表示素子を駆動する表示器基板１１を背面側に有している。
【００３０】
共通プリント基板２１は、図１を参照して既述の通り、制御対象であるサーボ機構の制御を行うための回路基板であるサーボカード４１及びＣＰＵカード４２が搭載され、異なる仕様の数値制御装置に共通に適用される特定のプリント基板である。
第１プリント基板２２ａは、特定のプリント基板としての共通プリント基板２１とコネクタ３０で接続されて基板接続体２０を構成する構成要素としての所定のプリント基板である。
【００３１】
図３の例における第１プリント基板２２ａは、第１プリント基板２２と同様に、外部回路に接続されるインターフェース用コネクタ２３０を有するが、グラフィックコントロール機能部は搭載していない。即ち、本例の第１プリント基板２２ａは、所謂グラフィックボードに該当する機能部を有しないコネクタボードである。尚、第１プリント基板２２ａも、第１プリント基板２２と同様に、電源部７１を有する。
一方、コネクタ３０は、既述のものと同様であり、共通プリント基板２１側の第１コネクタ半体３１と、第１コネクタ半体３１に適合する第２コネクタ半体３２とを含んで構成される。
【００３２】
図３に示すように、第１プリント基板２２ａは、平面形状において、表示器１０の長辺方向に自己の長手方向が一致して全体として矩形をなし、図１の第１プリント基板２２のような切欠き状部ＮＰを有しない。即ち、第１プリント基板２２ａは、表示器１０の長辺方向に平行な一方の長辺２３１及び他方の長辺２３２と、これらの長辺２３１及び２３２と直角をなす一方の短辺２４１及び他方の短辺２４２とを有する。
【００３３】
図示のように、共通プリント基板２１は、上述のコネクタ３０における第１コネクタ半体３１と第２コネクタ半体３２とが結合して電気的接触が確立する状態で、次のような配置をとる。即ち、共通プリント基板２１の一方の長辺２１１が第１プリント基板２２ａの一方の長辺２３１に部分的に近接して対向し、且つ、共通プリント基板２１の他方の短辺２１４と第１プリント基板２２ａの他方の短辺２４２とが一直線上に揃う位置関係で配置される。
【００３４】
共通プリント基板２１と第１プリント基板２２ａとの接続体である第１の基板接続体２０ａは、その外形寸法が、８．４インチサイズの表示器１０の裏面側に配置するのに適合する。
【００３５】
図４に示されたように、プリント基板側コネクタ半体６１と表示器側コネクタ半体６２とによって構成されるコネクタ６０によって、第１の基板接続体２０ａ側と表示器１０（表示器基板１１）側とが接続される構成は、図２を参照して既述の構成と同様であり、従って、作用についても同様である。
また、第１の基板接続体２０ａに配されたデバイスから発生する熱を冷却するための第１冷却ファン５１及び第２冷却ファン５２が、適宜の支持部材によって設けられる点も、図１におけると同様である。
【００３６】
図１から図４を参照して説明した実施形態における第１プリント基板２２及び２２ａは、表示部とこの表示部を制御する制御部とが一体化された一体型の数値制御装置に適用されるものであり、既述のように外部回路に接続されるインターフェース用コネクタ２３０を有するコネクタボードである。
【００３７】
次に、図５及び図６を参照して、本発明の他の実施形態としての数値制御装置について説明する。
図５は、本発明の他の実施形態としての数値制御装置における第２の基板接続体を示す概略構成図である。図６は、図５の数値制御装置における第２の基板接続体の側面図である。図６では接続態様を示すことを主眼としているため、基板上の実装部品については図示を省略している。
図５及び図６において、既述の図１及び図２との対応部は同一の符号を付して示し、個々の説明は適宜省略する。
【００３８】
図５及び図６における第２の基板接続体２０ｂは、共通プリント基板２１と第２プリント基板２５とが、平面的に並置された状態で、コネクタ３０で接続されて構成されている。第２プリント基板２５は、既述の第１プリント基板２２とは異なる形態のプリント基板であり、従って、第２の基板接続体２０ｂは、第１の基板接続体２０とは異なる形態の基板接続体である。
共通プリント基板２１は、既述のものと同様の構成を有している。即ち、制御対象であるサーボ機構の制御を行うための回路基板であるサーボカード４１及びＣＰＵカード４２が搭載され、異なる仕様の数値制御装置に共通に適用される特定のプリント基板である。
【００３９】
第２プリント基板２５は、特定のプリント基板としての共通プリント基板２１とコネクタ３０で接続されて第２の基板接続体２０ｂを構成する構成要素としての所定のプリント基板である。
第２プリント基板２５は、表示部と前記表示部を制御する制御部とが分離された分離型の数値制御装置における制御部の一部を構成するものであり、外部回路に接続されるインターフェース用コネクタ２３０を有するコネクタボードである。第２プリント基板２５は電源部７１を有する。
【００４０】
コネクタ３０は、図１及び図３におけるコネクタ３０と同様のものであり、第１コネクタ半体３１と第２コネクタ半体３２を含んで構成される。
特に本実施形態おいては、第１コネクタ半体３１は、共通プリント基板２１に対して既述の第１プリント基板２２とは異なる第２プリント基板２５が接続されて、既述の第１の基板接続体２０とは異なる第２の基板接続体２０ｂが構成される場合においても、共通プリント基板２１における同一位置に位置するように配置されている。
【００４１】
図５におけるように、第２プリント基板２５は、平面形状において、全体として矩形をなしている。第２プリント基板２５は、共通プリント基板２１と接続されて第２の基板接続体２０ｂが構成されたときに、共通プリント基板２１の一方の長辺２１１に近接して対向する一方の短辺２５１、一方の短辺２５１に対応する他方の短辺２５２、これらの短辺２５１及び２５２と直角をなす一方の長辺２５３、長辺２５３に対応する他方の長辺２５４の、４辺を有する。
【００４２】
図示のように、共通プリント基板２１は、上述のコネクタ３０における第１コネクタ半体３１と第２コネクタ半体３２とが結合して電気的接触が確立する状態で、自己の一方の短辺２１３が第２プリント基板２５の一方の長辺２５３と一直線上に揃い、且つ、自己の他方の短辺２１４が第２プリント基板２５の他方の長辺２５４と一直線上に揃って、基板接続体２０ｂを構成する。
【００４３】
即ち、共通プリント基板２１及び第２プリント基板２５は略矩形であり、共通プリント基板２１の長辺２１１、２１２の長さは、第２プリント基板２５の短辺２５１，２５１の長さに略等しい
【００４４】
共通プリント基板２１と第２プリント基板２５とによる第２の基板接続体２０ｂは、その平面形状が全体として矩形をなし、その外形寸法が、８．４インチサイズの筐体に適合する。
尚、第２の基板接続体２０ｂに配されたデバイスから発生する熱を冷却するための既述の第１冷却ファン５１が、適宜の支持部材によって設けられる。
【００４５】
以上、各実施形態についての詳述から明らかな通り、本発明によれば、少なくとも特定のプリント基板（上述の実施形態では、共通プリント基板２１）について、その形状（寸法を含む）、及び、コネクタの型式と配置等の仕様の共通化を図り、且つ、当該特定のプリント基板（共通プリント基板２１）と他のプリント基板（上述の実施形態では、第１プリント基板２２、第１プリント基板２２ａ、第２プリント基板２５）とを接続して一つの基板接続体（上述の実施形態では、第１の基板接続体２０、２０ａ、２０ｂ）を簡易に構成することができる数値制御装置が実現される。
【００４６】
尚、本発明は既述の実施形態には限定されるものではなく、種々、変形変更して実施可能である。例えば、上述の実施形態では、第１プリント基板２２が一つの所謂グラフィックボードとして機能する場合について説明したが、これに制限されず、第１プリント基板２２として多種の機能のものを準備してもよい。その他、本発明の目的を達成できる範囲での変形、改良も本発明に含まれる。
【符号の説明】
【００４７】
２０、２０ａ  第１の基板接続体
２０ｂ  第２の基板接続体
２１  共通プリント基板
２２  第１プリント基板
２５  第２プリント基板
３０  コネクタ
３１  第１コネクタ半体
３２  第２コネクタ半体
２３０  インターフェース用コネクタ
【図１】
2018077659.tif 000003
【図２】
2018077659.tif 000004
【図３】
2018077659.tif 000005
【図４】
2018077659.tif 000006
【図５】
2018077659.tif 000007
【図６】
2018077659.tif 000008